(57)【要約】【課題】複数のチャネルを用いてデジタルビデオ信号を伝送するシステムにおいて、チャネル間にスキューが生じた場合に、表示すべき画素位置に正しい画素データを表示することができない。【解決手段】各チャンネルに受信データを遅延なしで出力する経路と、ビデオクロックに同期して遅延させる経路を設ける。送信側では有効ビデオ領域の開始直前にビデオガードバンド信号を付与して送信する。受信側ではビデオガードバンド検出装置４で各チャンネルのビデオガードバンド信号を検出し、全てのチャンネル間でビデオガードバンド信号の同期がとれるように、最も出力遅延の大きいチャンネルに同期させて、各チャンネルの出力遅延を選択してビデオ信号を出力する。【選択図】  図１
2004165772.tif 000002
【特許請求の範囲】
【請求項１】
少なくとも複数の伝送チャンネルを備えた送信装置と受信装置から構成され、前記送信装置と前記受信装置は通信手段によって前記伝送チャネルごとに接続されてデジタルビデオ信号を送受信するシステムであって、
前記送信装置は、ビデオガードバンド信号生成装置が備え、
前記受信装置は、入力されたデジタルビデオ信号を遅延させないで出力する経路と、前記デジタルビデオ信号をクロックに同期して遅延させる経路を備え、
前記受信装置にはビデオガードバンド信号検出装置が備えられており、前記ビデオガードバンド信号検出装置の出力にしたがって、前記受信装置の出力経路を選択することを特徴とするビデオ信号伝送装置。
【請求項２】
前記送信装置と前記受信装置がＨＤＭＩ規格に準拠したことを特徴とする請求項１記載のビデオ信号伝送装置。
【請求項３】
少なくとも複数の伝送チャンネルを備えた送信装置と受信装置から構成され、前記送信装置と前記受信装置は通信手段によって前記伝送チャネルごとに接続されて、デジタルビデオ信号を送受信するシステムであって、
前記受信装置は、入力されたデジタルビデオ信号を遅延させないで出力する経路と、前記デジタルビデオ信号をクロックに同期して遅延させる経路を備え、
前記受信装置には、有効ビデオ領域を検出する有効ビデオ境界検出装置を備えており、前記有効ビデオ領域検出装置の出力にしたがって、前記受信装置の出力経路を選択することを特徴とするビデオ信号伝送装置。
【請求項４】
前記送信装置と前記受信装置がＤＶＩ規格に準拠したことと特徴とする請求項３記載のビデオ信号伝送装置。
【発明の詳細な説明】
【０００１】
【発明の属する技術分野】
本発明は、デジタルビデオ信号を伝送するビデオ信号伝送装置に関するものである。
【０００２】
【従来の技術】
近年、ＤＶＩ（Ｄｉｇｉｔａｌ  Ｖｉｓｕａｌ  Ｉｎｔｅｒｆａｃｅ）規格など、映像ソースとモニタ間のビデオ信号伝送を非圧縮のデジタル信号すなわちベースバンドのデジタルビデオ信号で行うシステムが開発されつつある。
【０００３】
従来のビデオ信号送信装置においては、受信側では各チャンネル間の信号が同期していることを前提に、受信したデジタルビデオデータの再生を行っている（例えば、特許文献１参照）。
【０００４】
以下、従来のビデオ信号伝送装置について説明する。図５は従来のビデオ信号伝送装置のブロック図である。図中、それぞれチャンネル０、チャンネル１およびチャンネル２の１ａ，  １ｂおよび１ｃはそれぞれチャンネル０、チャンネル１およびチャンネル２の送信装置、２ａ、２ｂおよび２ｃはそれぞれチャンネル０、チャンネル１およびチャンネル２の受信装置、６ａ、６ｂおよび６ｃはそれぞれチャンネル０、チャンネル１およびチャンネル２の映像信号生成装置である。
【０００５】
以上のように構成されたビデオ信号伝送装置の動作を説明する。
図６は７２０ｘ４８０ｐのビデオフォーマットにおけるビデオ信号領域の概略図である。ビデオ信号領域は水平および垂直ブランキング領域と、有効ビデオ領域に分けられる。映像信号生成装置６は、ブランキング期間中には制御信号を、有効ビデオ期間中には映像信号を生成し、表示装置には有効ビデオ領域で受信された画像データが表示される。
【０００６】
図７は、３チャンネルＲＧＢ伝送方式におけるビデオ信号のタイミング図であり、チャンネル０はＢｌｕｅ、チャンネル１はＧｒｅｅｎ、チャンネル３はＲｅｄの輝度信号を伝送する。またＲ０，  Ｒ１，  Ｒ２…はそれぞれ画素０，１，２…における輝度データを表している。
【０００７】
図７（ａ）は、チャンネル間にスキューが存在しない場合のタイミング図を示しており、全てのチャンネルがビデオクロックに同期して伝送されている。
【０００８】
図７（ｂ）は、チャンネル１に１ビデオクロックのスキューが生じた場合のタイミング図を示している。
【０００９】
【特許文献１】
特表平１１−５１４８１５号公報
【００１０】
【発明が解決しようとする課題】
しかしながら上記の従来の構成では、各チャンネル間においてスキューが生じないことを前提としているため、実際のシステムにおいてケーブル長の誤差や、内部クロックの遅延等でチャネル間にスキューが生じた場合、実際に表示させたい位置に正しい映像データが表示できないという問題を有していた。
【００１１】
図７（ｂ）においては、チャンネル１に１ビデオクロックのスキューが生じているため、例えば画素１においては、画素１のＢｌｕｅおよびＲｅｄの輝度データと、画素０のＧｒｅｅｎの輝度データが表示されることになり、正しい画素データが得られないことがわかる。
【００１２】
本発明は上記問題点に鑑み、チャネル間のデータにスキューが生じた場合でも、正しい映像データが表示できるビデオ信号伝送装置を提供するものである。
【００１３】
【課題を解決するための手段】
この目的を達成するために本発明は、少なくとも複数の伝送チャンネルを備えた送信装置と受信装置から構成され、前記送信装置と前記受信装置は通信手段によって前記伝送チャネルごとに接続されており、前記送信装置にはビデオガードバンド信号生成装置が備えられており、前記受信装置には入力されたデジタルビデオ信号を遅延させないで出力する経路と、前記デジタルビデオ信号をクロックに同期して遅延させる経路を備えており、前記受信装置にはビデオガードバンド信号検出装置が備えられ、このビデオガードバンド信号検出装置の出力にしたがって、前記受信装置の出力経路を選択する構成となっている。
【００１４】
上記の構成により本発明は、チャネル間にスキューが生じた場合であっても、最も遅いチャンネルのデータ出力タイミングに合わせて、他のチャンネルの出力タイミングを遅延させることが可能となり、受信側でチャネル間のスキューを吸収し、正しい画素位置に映像データを表示することが可能となる。
【００１５】
【発明の実施の形態】
以下、本発明の実施の形態について、図面を参照しながら説明する。
【００１６】
（実施の形態１）
図１は本発明の実施の形態１に係るビデオ信号伝送装置の構成を示すブロック図である。図中、１ａ、１ｂ及び１ｃはそれぞれチャンネル０、チャンネル１およびチャンネル２の送信装置、２ａ、２ｂおよび２ｃはそれぞれチャンネル０、チャンネル１およびチャンネル２の受信装置、３ａ、３ｂおよび３ｃはそれぞれチャンネル０、チャンネル１およびチャンネル２の遅延装置、４はビデオガードバンド検出装置、５ａ、５ｂおよび５ｃはそれぞれチャンネル０、チャンネル１およびチャンネル２のビデオガードバンド付加装置である。
【００１７】
以上のように構成されたビデオ信号伝送装置の動作を以下に説明する。
まず、送信装置１ａ，  １ｂ，  １ｃは、有効ビデオ信号領域が開始される直前にビデオガードバンド信号を挿入する。
【００１８】
一方、受信装置２ａ、２ｂ、２ｃは受信したビデオ信号を、０遅延で出力する経路と、１ビデオクロックだけ遅延させる経路が備えられている。
【００１９】
図２は本実施の形態における３チャンネルＲＧＢ伝送方式のビデオ信号タイミング図である。図７と同様に、チャンネル１に１ビデオクロックのスキューが生じた場合を示している。
【００２０】
図２  （ａ）に示したように、各チャンネルのビデオガードバンド信号（ＶＧＢ）が同期するためには、チャンネル０は１クロック遅延、チャンネル１は遅延なし、チャンネル２は１クロック遅延の経路を選択すれば良い。
【００２１】
ビデオガードバンド信号検出装置４は、各チャンネルのビデオガードバンド信号が同期したことを検出し、チャンネル０は１クロック遅延、チャンネル１は遅延なし、チャンネル２は１クロック遅延の経路を選択する。その結果、図２（ｂ）に示したように、受信側では１クロック遅延したビデオデータが出力され、例えば画素１ではＢｌｕｅ、ＧｒｅｅｎおよびＲｅｄの全てのデータが同期しており、正しい輝度データが表示されることがわかる。
【００２２】
（実施の形態２）
図３は、本発明の実施の形態２におけるブロック図である。図中、１ａ、１ｂ、１ｃはそれぞれチャンネル０、チャンネル１およびチャンネル２の送信装置、２ａ、２ｂ、２ｃはそれぞれチャンネル０、チャンネル１およびチャンネル２の受信装置、３ａ、３ｂ、３ｃはそれぞれチャンネル０、チャンネル１およびチャンネル２の遅延装置、６ａ、６ｂ、６ｃはそれぞれチャンネル０、チャンネル１およびチャンネル２の映像信号生成装置、７は有効ビデオ領域検出装置である。
【００２３】
以上のように構成された本実施の形態の動作を以下に説明する。
図４は本実施の形態における３チャンネルＲＧＢ伝送方式のビデオ信号タイミング図である。図７と同様に、チャンネル１に１ビデオクロックのスキューが生じた場合を示している。送信側ではビデオガードバンド信号が挿入されず、制御信号の送信直後に有効ビデオ領域が開始される。有効ビデオ領域検出装置７は、制御信号とビデオ信号の境界を検出し、チャンネル間で制御信号の終了位置または有効ビデオ領域の開始位置が同期しているかどうかを検出する。
【００２４】
図４（ａ）に示したように、各チャンネル間の有効ビデオ領域の開始タイミングが同期するためには、チャンネル０は１クロック遅延、チャンネル１は遅延なし、チャンネル２は１クロック遅延の経路を選択すれば良い。
【００２５】
有効ビデオ領域検出装置７は、制御信号とビデオ信号の境界を検出し、チャンネル０は１クロック遅延、チャンネル１は遅延なし、チャンネル２は１クロック遅延の経路を選択する。
【００２６】
その結果、図４（ｂ）に示したように、受信側では１クロック遅延したビデオデータが出力され、例えば画素１ではＢｌｕｅ、ＧｒｅｅｎおよびＲｅｄの全てのデータが同期しており、正しい輝度データが表示されることがわかる。
【００２７】
【発明の効果】
以上のように本発明は、受信側にはビデオガードバンドまたは有効ビデオ領域を検出する回路を設け、各チャンネルには受信したビデオデータを遅延なしで出力する経路と、ビデオクロックに同期した遅延回路を介して出力する経路を設けることにより、チャンネル間にスキューが生じた場合であっても正しい位置に画素データを表示することが可能となる。
【図面の簡単な説明】
【図１】本発明の実施の形態１に係るビデオ信号伝送装置の構成を示すブロック図
【図２】（ａ），（ｂ）本実施の形態１における３チャンネルＲＧＢ伝送方式ビデオ信号タイミング図
【図３】本発明の実施の形態２に係るビデオ信号伝送装置の構成を示すブロック図
【図４】（ａ），（ｂ）本実施の形態２における３チャンネルＲＧＢ伝送方式ビデオ信号タイミング図
【図５】従来のビデオ信号伝送装置を示すブロック図
【図６】７２０ｘ４８０ｐフォーマットのビデオ信号領域図
【図７】（ａ），（ｂ）３チャンネルＲＧＢ伝送方式におけるビデオ信号タイミング図
【符号の説明】
１ａ，１ｂ，１ｃ  送信装置
２ａ，２ｂ，２ｃ  受信装置
３ａ，３ｂ，３ｃ  遅延装置
４  ビデオガードバンド検出装置
５ａ，５ｂ，５ｃ  ビデオガードバンド付加装置
６ａ，６ｂ，６ｃ  映像信号生成装置
７  有効ビデオ領域検出装置
【図１】
2004165772.tif 000003
【図２】
2004165772.tif 000004
【図３】
2004165772.tif 000005
【図４】
2004165772.tif 000006
【図５】
2004165772.tif 000007
【図６】
2004165772.tif 000008
【図７】
2004165772.tif 000009